(57)【要約】【課題】保持要素とハウジングとを有する、人工睫毛を分配するための装置を提供すること。【解決手段】本発明は、保持要素１２３とハウジング１０とを備える、人工睫毛を分配するための装置１に関する。前記ハウジング１０は、人工睫毛４１をハウジング１０の外部空間へ出すことを可能にする分配用開口１１を備え、保持要素１２３は、可撓性材料を含み、睫毛４１を保持することを容易にするように、分配用開口１１の領域に配置されるように設計される。【選択図】図１
2017020156.tif 000002
【特許請求の範囲】
【請求項１】
保持要素（１２３）とハウジング（１０）とを備える、人工睫毛（４１）を分配するための装置（１）であって、前記ハウジング（１０）は、人工睫毛（４１）を前記ハウジング（１０）の外部空間へ出すことを可能にする分配用開口（１１）を備え、前記保持要素（１２３）は、可撓性材料を含み、前記睫毛（４１）を保持することを容易にするように、前記分配用開口（１１）の領域に配置されるように設計される、装置（１）。
【請求項２】
前記分配用開口（１１）の両側に位置する前記ハウジング（１０）の壁（１２０、１２２）が、前記壁（１２０、１２２）の間で前記睫毛（４１）のうちの１つ又は複数を保持するように、ピンセット式に相互にクランプされ得るように設計される、請求項１に記載の装置（１）。
【請求項３】
前記壁（１２０、１２２）の少なくとも１つが、前記保持要素（１２３）を備え、前記保持要素（１２３）が、前記壁（１２０、１２２）を相互にクランプする間、前記睫毛（４１）と接触するよう意図されている、請求項２に記載の装置（１）。
【請求項４】
前記保持要素（１２３）が、前記壁（１２０、１２２）の自由端部に位置付けられる、請求項３に記載の装置（１）。
【請求項５】
前記保持要素（１２３）が、一片の材料である、請求項１から４までのいずれか一項に記載の装置（１）。
【請求項６】
前記保持要素（１２３）が、弾性的に変形可能な材料を含む、請求項１から５までのいずれか一項に記載の装置（１）。
【請求項７】
前記保持要素（１２３）が、海綿状材料を含む、請求項１から６までのいずれか一項に記載の装置（１）。
【請求項８】
前記ハウジング（１０）及び前記保持要素（１２３）が、異なる材料から作り出される、請求項１から７までのいずれか一項に記載の装置（１）。
【請求項９】
前記人工睫毛（４１）を前記ハウジング（１０）の外部空間へ送らせるために作動され得る移動機構を備える、請求項１から８までのいずれか一項に記載の装置（１）。
【請求項１０】
前記人工睫毛（４１）が固定される運搬用ストリップ（３０）を備える、請求項１から９までのいずれか一項に記載の装置（１）。
【発明の詳細な説明】
【技術分野】
【０００１】
本発明は、人工睫毛ディスペンサの技術分野に関する。本発明は、特に、睫毛を保持する要素を備える人工睫毛を分配するための装置に関する。
【背景技術】
【０００２】
ハウジングと、人工睫毛をハウジングの分配用開口を通して出すことを可能にする移動機構とを備える人工睫毛ディスペンサが、知られている。これらのディスペンサの一部は、ピンセットのように相互にクランプされ得る壁を備えている。このようにクランプすることで、睫毛を保持することが可能になり、人工睫毛を貼る際に、装置の使用が容易になる。
【０００３】
このようなクランプの間、睫毛は、不十分な様式で、又はこれらの人工睫毛を貼るのに不適切な位置及び／又は向きに保持されることもある。したがって、人工睫毛を分配するためのこれらの装置を改善する必要がある。本発明の目的の１つは、そのような改善を提案することである。
【発明の概要】
【課題を解決するための手段】
【０００４】
したがって、本発明は、保持要素とハウジングとを備える、人工睫毛を分配するための装置であって、前記ハウジングは、人工睫毛をハウジングの外部空間へ出すことを可能にする分配用開口を備え、保持要素は、可撓性材料を含み、睫毛を保持することを容易にするように、分配用開口の領域に配置されるように設計される装置を提案する。
【０００５】
このようにして、保持要素を作っている可撓性材料は、人工睫毛の何らかの劣化又は変形を防止しつつ、睫毛を保持することをより容易にする。したがって、本装置の使用についての快適さ及び容易さが改善される。
【０００６】
まとめて又は別々に講じられ得る異なる実施例によれば、
−  分配用開口の両側に位置するハウジングの壁は、前記壁の間で前記睫毛のうちの１つ又は複数を保持するように、ピンセット式に相互にクランプされ得るように設計され、
−  壁の少なくとも１つは、前記保持要素を備え、前記保持要素が、前記壁を相互にクランプする間、前記睫毛と接触するよう意図されており、
−  前記保持要素は、前記壁の自由端に位置付けられ、
−  前記保持要素は、一片の材料であり、
−  前記保持要素は、弾性的に変形可能な材料を含み、
−  前記保持要素は、海綿状材料を含み、
−  ハウジング及び保持要素は、異なる材料から作り出されており、
−  装置は、人工睫毛をハウジングの外部空間へ送らせるために作動され得る移動機構を備え、
−  装置は、人工睫毛が固定される運搬用ストリップを備える。
【０００７】
本発明の他の特徴、目的、及び利点は、純粋に例証的及び非限定的な実例として与えられ、添付の図面を参照しながら読むべきである以下の説明からより明瞭になろう。
【図面の簡単な説明】
【０００８】
【図１】本発明の１つの実施例による、人工睫毛を分配するための装置の正面図である。
【図２】図１の装置の縦断面図である。
【図３】本発明の別の実施例による、人工睫毛を分配するための装置の正面図であり、装置のピンセットが閉位置にある状態を示す。
【図４】図３の装置の正面図であり、装置のピンセットが開位置にある状態を示す。
【発明を実施するための形態】
【０００９】
図１に示すように、本発明は、人工睫毛を分配するための装置に関する。
【００１０】
前記装置１は、ハウジング１０を備え、ハウジング１０は、好ましくはポリプロピレン（ＰＰ）、ポリエチレン（ＰＥ）、アクリロニトリル・ブタジエン・スチレン（ＡＢＳ）、スチレン・アクリロニトリル（ＳＡＮ）又はポリエチレン・テレフタレート（ＰＥＴ）、ポリエチレン・テレフタレート共重合体（ＰＥＴＧ）、Ｓｕｒｌｙｎ（登録商標）樹脂又はポリオキシメチレン（ＰＯＭ）などのプラスチック材料製である。ハウジングは、アルミニウム、Ｚａｍａｋ等などの金属製であってもよい。
【００１１】
前記ハウジング１０は、不透明であってもよく、又は、それとは対照的に、ハウジング１０が含有する要素が、具体的には、以下に詳述される１つの実施例に従って少なくとも部分的に見えるように透明であってもよい。
【００１２】
１つの実施例によれば、ハウジング１０は、周辺輪郭３５０と、ハウジング１０の内部を区切る２つの側壁３１０、３２０とで構成される。前記周辺輪郭３５０は、２つの側壁３１０、３２０を結合しており、２つの側壁３１０、３２０は、実質的に平面で、同じ形状であり、互いに平行である。基部３１０と呼ばれる側壁の一方と周辺輪郭３５０とは、一種の材料でできていれば有利であり、前記周辺輪郭３５０が、前記基部３１０の辺縁に沿って配置される。カバー３２０と呼ばれる側壁の他方は、ハウジング１０の残りの部分用のカバーとして使用することができる。
【００１３】
図２に示すように、ハウジング１０は、睫毛４１が個別に使用されるように通って出る、分配用開口１１を備える。前記装置は、ハウジング１０の内側に、睫毛４１が固定される、点線で示される運搬用ストリップ３０と、睫毛４１を分配用開口１１に向かって送るためにストリップ３０を移動させるように作動されることが可能な移動機構も備える。したがって、前記装置は、ストリップ３０が移動した結果、人工睫毛４１が分配用開口１１を通って出ることを容易にするように設計される。
【００１４】
ストリップ３０上で、睫毛は、図３で見ることができる、睫毛ユニット４０の形で一緒にグループ化されれば好ましい。
【００１５】
ユニットは、ストリップ上の接着剤被膜によってストリップ３０に固定されれば好ましく、被膜は、睫毛４１を損傷することなく分配ユニット４０から分離することを可能にするのに適切な特性を有している。
【００１６】
各睫毛ユニット４０は、睫毛４１の縁取り部及び結合ストリップ４２を備えることができる。睫毛は、一方の端部、好ましくはその基部において結合ストリップ４２によって相互に接続され、他方の端部は固定されていない。
【００１７】
人工睫毛４１及び結合ストリップ４２は、典型的にはポリブチレン・テレフタレート（ＰＢＴ）及びＰＶＣでできている合成繊維から作り出され、何らかの既知の方法によって結合ストリップ４２に対してしっかりと結合される。例えば人工睫毛４１は、結合ストリップに対して接着されてもよく、又は結合ストリップと一体に形成されてもよい。また、人工睫毛は、結合ストリップに対して縫い付けられてもよく、又は結合ストリップに対して溶着されてもよい。
【００１８】
ストリップ３０は、複数の別個の接着剤領域を有していれば有利であり、前記領域は、例えば接着剤被膜によって被覆され、ストリップの残りの部分は、接着性を有していない。
【００１９】
分配ユニット４０は、睫毛の端も、結合ストリップも接着しないように、その長さ方向に、睫毛の中間の領域で前記領域に接着されれば有利であり、人工睫毛は、この場合、自然の睫毛のように固有の曲率を有している。例えば、睫毛が、１０ｍｍの長さを有する場合には、睫毛ユニットは、睫毛の長さの半分のところに中央が位置している５ｍｍのストリップに接着剤で貼ることができる。
【００２０】
これには、複数の利点がある。ひとたび睫毛がユーザ上の適所に置かれれば、睫毛の外観が損なわれることはないように、睫毛の端は、相互に別々に保持されている。睫毛ユニット上の接着剤残留物は、接着剤を睫毛に完全に付けることで減少され、具体的には、各自由睫毛端は、隣接する睫毛に付着しない。したがって、睫毛ユニットの審美性が保たれる。
【００２１】
最後に、睫毛が、その長さの中間部でストリップ上に保持されていることで、前記睫毛の端は、睫毛がその一方の端でストリップに固定された場合には、他方の端より突出することはない。
【００２２】
換言すれば、睫毛ユニットが、結合ストリップの領域でストリップ３０に接着された場合には、ユニットの睫毛の端とストリップ３０との間には、同じ高さＨ’に関して減少された高さＨが、存在する。
【００２３】
その結果、睫毛がディスペンサの中で動かされる時、睫毛の端は、ハウジング１０の壁と接触することはなく、したがって、前記睫毛は、ディスペンサの中で自由に動かすことが可能である。
【００２４】
睫毛ユニット４０は、睫毛が運搬用ストリップ３０の長手方向と平行に方向付けられるように、運搬用ストリップ３０に固定されれば好ましく、その場合、結合ストリップ４２は、前記方向を横断している。変異形では、睫毛は、横断方向に、具体的には直交するように方向付けられてもよい。
【００２５】
その上、睫毛ユニット４０は、それらが２つの連続するユニット間で一定の間隔だけ離れているように、運搬用ストリップ３０の上に規則正しく分配されれば好ましい。典型的には、この間隔は、５ｍｍから２０ｍｍの間であり得る。
【００２６】
典型的には、睫毛４１は、８ｍｍから１５ｍｍの長さＬを有し、１０ｍｍと同等であれば好ましい。
【００２７】
睫毛ユニット４０に関しては、それらは、３ｍｍから１０ｍｍの幅ｗを有し、４ｍｍから５ｍｍの間であれば好ましい。この幅は、従来から市販される睫毛ユニットより狭い。したがって、ユーザの目蓋の全幅を被覆するためには、複数の睫毛ユニット４０を目蓋に貼る必要がある。
【００２８】
ストリップ３０と平行に方向付けられる睫毛の場合、睫毛ユニット４０の幅ｗが減るので、ユニットが固定される運搬用ストリップ３０の幅を減らし、そしてその結果、分配装置１が占める体積を減らすことが可能になる。
【００２９】
図２に示すように、移動機構は、ハウジング１０に対して回転することができるように取り付けられるリール２０を備える。運搬用ストリップ３０の第１の長手方向端部は、リールに固定され、分配される人工睫毛ユニットが固定されるストリップの部分３１は、リールに巻き付けられる。したがって、リール２０は、分配用開口１１の上流に配置され、更に、ストリップの経路の出発点を形成することができる。
【００３０】
リールに巻き付けられるストリップの部分３１は、睫毛ユニット４０の蓄え部を形成する。より具体的には、装置１の大きさでは、数メートルの運搬用ストリップ３０、例えば０．５メートルから２メートルの間のストリップを巻き付けることが可能になり得、このことにより、２０ユニットから１８０ユニットの人口睫毛を保管することが可能になる。これによって、ユーザが、約１０日から３０日分相当の人工睫毛を有することが可能になる。
【００３１】
リールに巻き付けられるストリップの長さ、及びその円形断面の直径は、リールにストリップを巻き付けることで、分配された時に睫毛の曲率半径をあまりに著しく損なわないように構成されなければならない。例えば、リールの円形断面の直径が小さすぎる場合には、リールの外側面に最も近いストリップの部分の上に位置する睫毛は、大きすぎる曲率半径を有する。
【００３２】
したがって、リールの円形断面の直径は、５ｍｍから１２ｍｍの間である。
【００３３】
更に、ストリップを巻き付けることで、リールの周囲に円柱が形成され、この円柱の直径は、巻き付けられたストリップの長さと共に漸次大きくなる。巻き付けられたストリップの長さがあまりに長い場合、このように形成された円柱の直径は、大きくなり、巻きの外周縁でストリップに固定される睫毛の曲率半径は、小さくなりすぎる。
【００３４】
上述したストリップ巻き付け長さは、この影響を考慮するものである。リールに巻き付けられるストリップによって形成される円柱の断面の直径は、最大でも３０ｍｍであり得る。したがって、分配装置１は、リールにストリップを巻き付けることで、従来型のハウジングと異なりかなりの数の人工睫毛ユニットを保管すること、そして、非常にコンパクトな様式でそれらを保管することが可能になる。
【００３５】
リール２０は、円形断面を有する円柱の形をとっており、この円柱は、その回転軸を中心とする回転動作が可能であり、運搬用ストリップ３０の幅以上の長さを有する。これによって、運搬用ストリップ３０が、円柱２０の外側面に寄り掛かることが可能になる。
【００３６】
リールは、ハウジング１０と同じ材料でできていてもよい。
【００３７】
運搬用ストリップ３０の移動システムは、ハウジング１０に対して回転可能であるように取り付けられるスプール２１を更に備える。スプール２１は、ストリップの経路上で分配用開口１１の下流に位置付けられる。
【００３８】
リールに固定されない運搬用ストリップ３０の第２の長手方向端部は、スプール２１に固定され、睫毛ユニットが取り除かれたストリップの部分３３が、スプールに巻き付けられる。
【００３９】
リール２０と類似の様式で、スプール２１は、円形断面を有する円柱の形をとっており、この円柱は、その回転軸を中心に回転して動くことが可能であり、運搬用ストリップ３０の幅以上の長さを有する。これによって、運搬用ストリップ３０が、スプール２１の外側面に寄り掛かることが可能になる。
【００４０】
スプール２１は、ハウジング１０と同じ材料でできていてもよい。
【００４１】
リール２０及び／又はスプール２１は、前記ストリップ３０を案内することを可能にする横方向フランジを備えることができる。
【００４２】
リール２０とスプール２１のヒンジ・ピン３６０、３６１はそれぞれ、基部３１０から出ている。具体的には、リール２０及びスプール２１は、そのそれぞれのヒンジ・ピンを中心に回転することができるように、ハウジング１０の内側に取り付けられる。
【００４３】
リール２０の周囲に巻き付けられる部分３１と、スプール２１の周囲に巻き付けられる部分３３との間に位置する、運搬用ストリップ３０の中間部分３２は、移動して分配用開口１１に近づく。
【００４４】
前記部分３２は、この場合前記ストリップ３０を案内するためのつば２５の端部の形をした、戻り要素２４の上に載っている。前記戻り要素２４は、分配用開口１１の近くに、すなわち睫毛の長さより短い距離だけ分配用開口から離れて配置される。図２では、必要以上に複雑にしないように、単一の睫毛ユニットが示してある。
【００４５】
運搬用ストリップ３０は、戻り要素によって保持されて、リール２０とスプール２１との間でその経路の方向を変更しながら、前記要素の周囲で移動する。
【００４６】
戻り要素２４の位置及びその直径は、運搬用ストリップ３０が要素２４の周囲を移動する間に、睫毛ユニット４０が、部分的に運搬用ストリップ３０から分離し、分配用開口を通って装置１から出されるように構成される。
【００４７】
例えば、戻り要素の上流での運搬用ストリップの方向及び戻り要素の下流での運搬用ストリップの方向は、この分離を促進するように選択される。
【００４８】
戻り要素２４の半径は、その外側面が、０．５ｍｍから４０ｍｍの間の曲率半径を有するように選択され、その結果、ストリップが、前記外側面に載りながら、戻り要素の周囲を動く時、ストリップが、同じ曲率半径を有することになる。
【００４９】
更にその上、睫毛ユニット４０は、前記ストリップが戻り要素２４の周囲を移動する時、睫毛の自然の曲率が、運搬用ストリップ３０で用いられる曲率と正反対になるようにストリップ上に配置される。
【００５０】
したがって、ストリップが戻り要素に達して、前記要素を中心に枢動することで方向を変更する時、下流に位置するユニット４０の端部は、ストリップ３０から分離して、分配用開口１１を通って出される。
【００５１】
分配ユニット４０は、分配用開口に向かって運搬用ストリップが移動する間に、睫毛４１の結合ストリップ４２が、分配用開口に向かって最初に送られるように、運搬用ストリップ上に配置されれば好ましい。
【００５２】
結果的に、運搬用ストリップ３０から分離され、分配用開口１１を通って装置から出されるのは、結合ストリップ４２である。対照的に、睫毛の自由端は、ストリップに接着されたままである。
【００５３】
ストリップがこの位置にある時、ユーザは、装置１からユニットを手動で取り除く前に、結合ストリップ４２に接着剤を塗ることができる。接着剤を塗るこの段階の間、したがって、ユニット４０は、睫毛の自由端によって運搬用ストリップ３０上に保持され、ユーザは、手で睫毛を保持する必要がない。結果的に、接着剤を塗る時に、人工睫毛を損傷させる危険性が減少される。
【００５４】
更にその上、前記睫毛に接着剤を塗って、前記睫毛を配置する目的で睫毛ユニット４０を扱うことを容易にするために、ハウジング１０に設けられる分配用開口１１の縁は、以下に詳述されるようにピンセットの形になっていれば好ましい。
【００５５】
更にその上、分配用開口１１に対するリール２０の位置は、片眼又は両眼上に配置される睫毛ユニット４０が、同じ曲率を有するように、リール２０と分配用開口１１との間の運搬用ストリップ３０の長さは、同片眼又は両眼を被覆するのに十分な数の睫毛ユニット４０を備えるように非限定的様式で画定され得る。
【００５６】
非限定的実例として、以下のパラメータが考慮される。
―  運搬用ストリップ３０上において、２つの連続する睫毛ユニット４０の間には５ｍｍの間隔があり、
―  １つの目蓋を被覆するのに３つの人工睫毛ユニットが必要とされるように、睫毛ユニット４０は、５ｍｍの幅ｗを有し、
―  睫毛は、１０ｍｍと等しい長さＬを有する。
【００５７】
この場合、リールと分配用開口１１との間に保持される運搬用ストリップ３０の部分が両眼に対して十分な数の睫毛ユニット４０、即ち６つの睫毛ユニットを備えるために、リールと戻り要素との間の距離は、９０ｍｍ以上でなければならない。この距離は、運搬用ストリップ３０の前記部分が、単一の眼に対して十分な数の睫毛ユニットを有するように、４５ｍｍまで減らされる。
【００５８】
作動中、戻り要素２４の下流に位置する運搬用ストリップ３０の部分は、前記ユニットが分配用開口を通って取り除かれているので、もはや睫毛ユニットを支持していない。前記運搬用ストリップの部分は、スプール２１まで送られる。
【００５９】
この場合、運搬用ストリップ３０を動かすための機構が、運搬用ストリップ３０をスプール２１に巻き付けることを可能にする、スプール２１を動かして回転させるための手段２３を更に備え、運搬用ストリップ３０をスプール２１に巻き付けて、既に述べたように、睫毛４１を分配するために運搬用ストリップ３０を動かす。
【００６０】
ハウジング１０が、開口１２を備え、作動手段２３が、開口１２を介して動作させられることができる調整ホイールを備えていれば有利である。
【００６１】
前記装置は、ハウジング１０の対向部分１００から分配用開口１１に向かう一方向に調整ホイール２３を手動で作動させることで、睫毛４１を分配するため運搬用ストリップ３０を動かすように、設計される。換言すれば、分配用開口１１が左側に位置付けられている図２では、調整ホイール２３は、ストリップ３０を巻き戻すことを可能にするためには、時計回りの方向に作動されなければならない。したがって、巻き戻しは、ユーザには直観的に認識される、睫毛を押す動きに対応した動きの結果行なわれる。
【００６２】
調整ホイール２３は、開口１２を通ってハウジング１０から突出する刻み付きホイールを備えることができる。スプール２１は、例えば前記調整ホイール２３と同軸であり、それにしっかりと結合されている。このようにして、調整ホイールを回転させることで、ストリップ３０を前方へ動かすことができる。
【００６３】
調整ホイール２３の刻み付きホイールは、隆起が設けられた外周面を有すれば有利である。前記周面は、調整ホイール２３を作動させるためにユーザによって操作されることが意図されたものである。上記のように、刻み付きホイールは、特にピンセットが開いている時、開口１１を通ってハウジング１０から突出するように配置される。結果として、ユーザは、調整ホイール２３を操作することによって、睫毛４１を分配用開口１１に向かって前進させることができる。
【００６４】
より具体的には、調整ホイール２３を回転させることで、スプール２１が回転し、運搬用ストリップ３０がスプールに巻き付けられる。このように巻き付けられることで、リール２０とスプール２１との間に延びる運搬用ストリップ３０の部分は動かされ、結果として、睫毛ユニット４０を分配用開口に向かって送り、上記の分配用開口の領域において、睫毛を分離する現象が伴う。この動きによって、運搬用ストリップは、リール２０から巻き戻される。
【００６５】
ユーザが、前記ホイールを、スプール２１を巻き戻す方向に回転させることができないように、一回転方向において調整ホイール２３を係止するための機構を設けることが、更に可能である。
【００６６】
前記装置は、ストリップを案内するための回転ベアリング１０６を更に備えることができる。前記ベアリング１０６は、例えばしっかりと結合されている、具体的には基部３１０に成形されている指状部を中心に自由に回転することができる。
【００６７】
既に述べたように、分配用開口１１の両側に位置するハウジングの壁１２０、１２２は、１つ又は複数の前記睫毛４１を前記壁１２０、１２２の間に保持するために、ピンセットのように相互にクランプされ得るように設計することができる。
【００６８】
前記壁の一方の１２０は固定されており、ピンセットの可動アームと見なされる他方の１２２は、具体的には、ハウジング１０の残りの部分に対してピン１２５を中心に枢動し得る方法でヒンジ結合されている。
【００６９】
この場合、固定壁１２０は、周辺輪郭３５０の部分によって形成され、可動アーム１２２は、固定壁１２０と対向する周辺輪郭３５０の部分に位置付けられるハウジング１０の開口部に位置付けられる。換言すれば、固定壁１２０及び可動アーム１２２は、実質的に互いに対向している。更に換言すれば、睫毛４１を適所に固定するために、ユーザは、睫毛を静止壁１２０に押し付けるように可動アーム１２２を作動させる。
【００７０】
静止壁１２０及び可動壁１２２のそれぞれは、遠位端部を備えている。前記壁の遠位端部は、分配用開口１１の領域で、相互に対向している。
【００７１】
図１、図２、図３、及び図４に示す本発明の１つの態様によれば、前記可動アーム１２２は、その遠位端部に、睫毛４１を保持し、クランプすることを改善するように、静止壁１２０上で平面と平面とが接触することを可能にする保持要素１２３を備えている。
【００７２】
前記保持要素１２３は、壁１２０、１２２を相互にクランプする間、前記睫毛４１と接触するように意図されている。具体的には、保持要素１２３は、可動アーム１２２及び静止壁１２０が相互にクランプされる際、前記睫毛４１と接触するように設計される。
【００７３】
保持要素１２３は、睫毛４１が分配用開口１１を通って出される方向に直交して延びる材料でできたストリップであれば有利である。
【００７４】
或いは、図面に示していない１つの実施例では、前記保持要素１２３は、可動アーム１２２上ではなく、その自由端部が静止壁１２０の下に配置され得る。換言すれば、静止壁１２０は、前記保持要素１２３を備えていてもよい。有利には、本実施例では、前記保持要素１２３は、可動アーム１２２の遠位端部と対向するように、分配用開口１１の領域で静止壁１２０と接触して配置され得る。
【００７５】
更に、或いは、図面に示していない１つの実施例では、分配装置１は、２つの保持要素１２３を備え、静止壁１２０及び可動壁１２２のそれぞれは、２つの保持要素１２３の一方を備えている。
【００７６】
本発明によれば、保持要素１２３は、可撓性材料でできており、前記材料の可撓性が、睫毛４１を保持することを容易にする。換言すれば、保持要素１２３は、圧縮可能な又は弾性的に変形可能な材料である。前記保持要素１２３は、例えば、非限定的な様式で、海綿質型材料、具体的にはスポンジでできている。或いは、前記保持要素１２３は、ゴム若しくはラテックス、又は可撓性及び弾力性に関して類似の特性を有する何らかの他の材料でできていてもよい。
【００７７】
前記保持要素１２３及び前記ハウジング１０は、相互に分離した要素であれば有利である。具体的には、前記保持要素１２３及びハウジング１０は、異なる特性を有する材料でできている。具体的には、前記保持要素１２３及びハウジング１０は、その可撓性に関して互いに異なっていてもよい。保持要素１２３を作っている材料は、ハウジング１０を作っている材料より高い可撓性を有していれば有利である。
【００７８】
前記保持要素１２３は、接着性によって、ハウジング１０に、具体的には可動アーム１２２にしっかりと結合され得る。前記保持要素１２３は、可動アーム１２２の伸張部から及び／又はそこから突出するように、可動アーム１２２の自由端部に配置されれば有利である。
【００７９】
或いは、保持要素１２３は、ハウジング１０上に覆い成形されてもよい。更に或いは、前記保持要素１２３は、スナップ式結合を用いて、及び／又は何らかの他の適切な固定手段で、可動アーム１２２又は静止壁１２０にしっかりと結合されてもよい。
【００８０】
保持要素１２３が、リップ部の形をしていて、前記睫毛を２つの壁１２０、１２２の他方に押圧することで、リップ部、即ち睫毛４１を保持するように意図される平坦な縁として働けば有利であり得ることに留意されたい。
【００８１】
更に一般的には、前記保持要素１２３は、睫毛４１を保持することを容易にするように、可撓性材料を備えて、分配用開口１１の領域に配置されるように設計される。
【００８２】
保持要素１２３が、人工睫毛４１の、相互間のアライメント、及び／又は睫毛４１が分配用開口１１を通って出される方向に関するアライメントを改善することを可能にすることに更に留意されたい。
【００８３】
図３に示すように、可動アーム１２２は、ピンセットが閉じられている時に、睫毛４１を分配用開口１１に向かって送ることを阻止するように設計され得れば有利である。このために、可動アーム１２２が閉位置にある時、ピン１２５とラグ１３０との間に位置付けられる可動アーム１２２の部分は、刻み付きホイールの側部を隠すように設計され得る。したがって、刻み付きホイールの前記側部及び可動アーム１２２の部分は、相互に対向している。この設計では、取り扱うのに使用される刻み付きホイールの隆起が、この場合アクセスしにくくなっているので、したがって、調整ホイール２３は、操作するのが困難である。
【００８４】
換言すれば、閉位置では、可動アーム１２２は、刻み付きホイールが、ハウジング１０からもはや突出しないように、調整ホイール２３の側部を横方向に被覆している。したがって、ユーザが刻み付きホイール２３を取り扱うことは困難になっている。具体的には、刻み付きホイールの隆起が位置する領域での、外周面の取り扱いは、可動アーム１２２の部分がすぐ近くに存在することで、損なわれる。
【００８５】
反対に、図４に示すように、開位置では、可動アーム１２２の同じ部分は、ハウジング１０に引き込められている。
【００８６】
このようにして、可動アーム１２２は、閉位置では、調整ホイール２３を扱うことで睫毛４１が分配用開口１１に向かって送られるのを防止するように設計されている。
【００８７】
可動アーム１２２をヒンジ結合することを可能にするために、装置は、例えば、ハウジングにしっかりと結合されているヒンジ・ピンを備える。
【００８８】
前記装置は、可動アーム１２２をピンセットの開位置に保持するように、前記可動アーム１２２上に力を及ぼすばね板１２６を更に備えていてもよい。前記ばね板１２６は、例えばその枢支ピン１２５とその遠位端部との間に位置する可動アーム１２２の部分上にその力を及ぼす。
【００８９】
前記可動アーム１２２は、前記ピンセットの閉位置において、スナップ式結合を用いてハウジング１０上に保持されるように更に設計され得る。この場合、前記可動アーム１２２は、この目的で１つ又は複数の可撓ラグ１３０を備え、この可撓ラグは、しっかりとハウジング１０に結合される補完的形状１３２と協働することが意図される。前記可撓ラグは、前記ばね板が作用する端部と対向する可動アーム１２２の一方の端部に位置付けられる。ピンセットが開位置に戻ることができるようにピンセットを解除するために、ユーザは、前記ヒンジ・ピン１２５と前記可撓ラグ１３０との間に位置する可動アームの部分上で、可動アーム１２２に作用を及ぼす。
【００９０】
前記ハウジング１０は、前記可撓ラグ１３０をピンセットの開位置に配置するための止め部１７０を備えることができる。前記配置止め部は、ある部分、具体的には分配用開口１１に隣接して位置付けられる端部と対向する案内つば２５の端部を備えることができる。
【００９１】
前記スプール２１は、ハウジング１０の中で、その枢支ピン１２５と、遠位端部１２３、即ちこの場合可撓スナップ式ラグ１３０を有する端部と反対側の端部との間に位置する前記可動アーム１２２の部分の右側に位置付けることができる。
【００９２】
前記可動アーム１２２は、開位置から閉位置まで移動するための取扱い突起１３４を更に備えることができる。この場合、前記突起は、前記可動アームの前記枢動ピン１２５とその遠位端部１２３との間に、具体的には前記可動アームの前記枢動ピン１２５と前記ばね板１２６の作動領域との間に位置付けられる。
【００９３】
上記のように、ピンセットが閉位置から開位置に移動するのは、ユーザが、ピン１２５と可撓タブ１３０との間に位置する可動アーム１２２の部分に作用を及ぼすことで引き起こされることに留意されたい。可動アーム１２２が開位置から閉位置に逆方向に回転するのはそれ自体、ユーザが、ピン１２５と保持要素１２３との間に位置する可動アーム１２２の部分に作用を及ぼすことで引き起こされる。
【００９４】
運搬用ストリップ３０は、代替的に糸であってもよい。
【符号の説明】
【００９５】
１  装置
１０  ハウジング
１１  分配用開口
１２  開口
２０  リール、円柱
２１  スプール
２３  作動手段、調整ホイール
２４  戻り要素
２５  案内つば
３０  運搬用ストリップ
３１  部分
３２  中間部分
３３  部分
４０  睫毛ユニット
４１  （人工）睫毛
４２  結合ストリップ
１００  対向部分
１０６  ベアリング
１２０  壁、固定壁
１２２  壁、可動アーム
１２３  保持要素、遠位端部
１２５  枢支ピン
１２６  ばね板
１３０  ラグ
１３２  補完的形状
１３４  取扱い突起
１７０  止め部
３１０  側壁、基部
３２０  側壁、カバー
３５０  周辺輪郭
３６０  ヒンジ・ピン
３６１  ヒンジ・ピン
Ｈ  高さ
Ｈ’  高さ
Ｌ  長さ
ｗ  幅
【図１】
2017020156.tif 000003
【図２】
2017020156.tif 000004
【図３】
2017020156.tif 000005
【図４】
2017020156.tif 000006
【外国語明細書】
2017020156000001.pdf